(57)【特許請求の範囲】
【請求項１】
送電線の振動を防止するクリスマスツリー型ダンパであって、
添え線と、前記添え線を前記送電線に固定するクランプとを備え、
前記クランプは、前記送電線を把持するクランプ把持部を有し、
前記クランプ把持部は、絶縁体を介して前記送電線を把持し、前記送電線から前記添え線への電流の分流を阻止し、
前記絶縁体は、硬質アルマイト処理を行ったアルミ製プレホームドアーマロットであることを特徴とするクリスマスツリー型ダンパ。
【請求項２】
前記絶縁体は、少なくとも前記クランプ把持部において前記送電線の外周面を覆っていることを特徴とする請求項１に記載のクリスマスツリー型ダンパ。
【請求項３】
送電線の振動を防止するクリスマスツリー型ダンパであって、
添え線と、前記添え線を前記送電線に固定するクランプとを備え、
前記クランプは、前記送電線を把持するクランプ把持部を有し、
前記クランプ把持部は、絶縁体を介して前記送電線を把持し、前記送電線から前記添え線への電流の分流を阻止し、
前記絶縁体は、前記クランプ把持部の前記送電線を把持する面に、カラーとして設けられ、
前記カラーは、硬質アルマイト処理を行ったアルミカラーであることを特徴とするクリスマスツリー型ダンパ。
【請求項４】
送電線の振動を防止するクリスマスツリー型ダンパであって、
添え線と、前記添え線を前記送電線に固定するクランプとを備え、
前記クランプは、前記送電線を把持するクランプ把持部を有し、
前記クランプ把持部は、絶縁体を介して前記送電線を把持し、前記送電線から前記添え線への電流の分流を阻止し、
前記絶縁体は、前記クランプ把持部の前記送電線を把持する面に、カラーとして設けられ、
前記カラーは、セラミック製カラーであることを特徴とするクリスマスツリー型ダンパ。
【請求項５】
前記絶縁体は、周方向で複数に分割されていることを特徴とする請求項２から請求項４のいずれかに記載のクリスマスツリー型ダンパ。
【発明の詳細な説明】
【技術分野】
【０００１】
本発明は、架空送電線の振動を防止するクリスマスツリー型ダンパに係り、より詳しくは、当該送電線から添え線への電流の分流を防止するクリスマスツリー型ダンパに関する。
【背景技術】
【０００２】
クリスマスツリー型ダンパは、添え線をクランプによって送電線に取り付けることによって、送電線の振動を防止するのに使用されるものである。図５を用いて従来のクリスマスツリー型ダンパについて説明する。
【０００３】
図５は、従来のクリスマスツリー型ダンパ５００の構成図である。クリスマスツリー型ダンパ５００は、第1ループのダンパ５１０（ａ）と、第２ループのダンパ５１０（ｂ）を有する。第1ループのダンパ５１０（ａ）は、送電線５２０の振動を防止するための添え線５１１と、取り付け用の各クランプ５１２とを備える。そして、各クランプ５１２は、それぞれクランプ把持部５１３と、圧縮接続部５１４とを有し、それぞれクランプ把持部５１３により、送電線５２０を把持し、圧縮接続部５１４で添え線５１１の端部に圧縮接続している。また、第２ループのダンパ５１０（ｂ）も、添え線５１１と、各クランプ５１２とを備える。そして、各クランプ５１２は、それぞれクランプ把持部５１３と圧縮接続部５１４とを有しており、各圧縮接続部５１４で添え線５１１の端部にそれぞれ圧縮接続している。この第２ループのダンパ５１０（ｂ）の一方のクランプ把持部５１３は前記第１ループのダンパ５１０（ａ）の添え線５１１を把持しており、他方のクランプ把持部５１３は送電線５２０を把持している。このような構成を有することにより、クリスマスツリー型ダンパ５００は、送電線５２０の振動を防止する。
【０００４】
しかしながら、クランプ５１２は金属製であり、また、添え線５１１も金属撚線の裸線であるため、送電線５２０に取り付けられると、送電線５２０から添え線５１１に電流が分流してしまうという問題があった。これに対処するため、添え線５１１の端部に絶縁体５１５を挿入し、添え線５１１をクランプ５１２の圧縮接続部５１４に圧縮接続し、送電線から添え線への電流の分流の防止を図ることを、先に提案した。この点についての詳細は、特許文献１に記載がある。
【先行技術文献】
【特許文献】
【０００５】
【特許文献１】特開２０１２−７０５２１号公報
【発明の概要】
【発明が解決しようとする課題】
【０００６】
しかしながら、特許文献１記載の発明では、圧縮接続部により、絶縁体を挿入した添え線の端部を過度に圧縮すると、絶縁体に圧縮力が直接加わり亀裂が入りこれにより添え線の絶縁性にバラつきが生じる等の不安があった。また、電流が添え線側に分流し、クランプで発熱する不安があり、圧縮接続時の圧縮力管理に余裕がなかった。そのため、特許文献１記載の発明は、なお改善の余地があった。
【０００７】
本発明は、上記の点に鑑みてなされたものであり、添え線の絶縁性を安定させ、電流の添え線側への分流に伴うクランプの異常発熱を防止するクリスマスツリー型ダンパを提供することを目的とする。
【課題を解決するための手段】
【０００８】
（１）本発明の送電線の振動を防止するクリスマスツリー型ダンパは、添え線と、前記添え線を前記送電線に固定するクランプとを備え、前記クランプは、前記送電線を把持するクランプ把持部を有し、前記クランプ把持部は、絶縁体を介して前記送電線を把持し、前記送電線から前記添え線への電流の分流を阻止し、前記絶縁体は、硬質アルマイト処理を行ったアルミ製プレホームドアーマロットであることを特徴とする。
【０００９】
また、前記絶縁体は、少なくとも前記クランプ把持部において前記送電線の外周面を覆っているように構成することができる。
（２）本発明の送電線の振動を防止するクリスマスツリー型ダンパは、添え線と、前記添え線を前記送電線に固定するクランプとを備え、前記クランプは、前記送電線を把持するクランプ把持部を有し、前記クランプ把持部は、絶縁体を介して前記送電線を把持し、前記送電線から前記添え線への電流の分流を阻止し、前記絶縁体は、前記クランプ把持部の前記送電線を把持する面に、カラーとして設けられ、前記カラーは、硬質アルマイト処理を行ったアルミカラーであることを特徴とする。
（３）本発明の送電線の振動を防止するクリスマスツリー型ダンパは、添え線と、前記添え線を前記送電線に固定するクランプとを備え、前記クランプは、前記送電線を把持するクランプ把持部を有し、前記クランプ把持部は、絶縁体を介して前記送電線を把持し、前記送電線から前記添え線への電流の分流を阻止し、前記絶縁体は、前記クランプ把持部の前記送電線を把持する面に、カラーとして設けられ、前記カラーは、セラミック製カラーであることを特徴とする。
さらに、前記絶縁体は、周方向で複数に分割されているように構成することができる。
【発明の効果】
【００１０】
本発明のクリスマスツリー型ダンパは、把持面の形状が一定で変形しないクランプ把持部が、絶縁体を介して送電線を把持するため、添え線を絶縁体ごと圧縮接続部で圧縮する場合と異なり、絶縁体の不測の変形を防止できる。その結果、添え線の絶縁性が安定する。また、添え線の絶縁性が安定することで、電流の添え線側への分流及びこれに伴う異常発熱を防止することができる。
【図面の簡単な説明】
【００１１】
【図１】本発明のクリスマスツリー型ダンパ１００の構成図及び絶縁体１１５を構成する絶縁部材１１５ａの拡大図。
【図２】本発明のクリスマスツリー型ダンパ１００のクランプ１１２の、図１の矢印Ａ方向からの側面図及び一部断面図。
【図３】本発明のクリスマスツリー型ダンパ２００の構成図。
【図４】本発明のクリスマスツリー型ダンパ２００（３００）のクランプ１１２の、図３の矢印Ｂ方向からの側面図及び一部断面図並びに絶縁部材１１５ａの側面及び正面図。
【図５】従来のクリスマスツリー型ダンパ５００の構成図並びにその一部拡大図及び断面図。
【発明を実施するための形態】
【実施例１】
【００１２】
図１及び図２を参照して本発明のクリスマスツリー型ダンパ１００を説明する。図１は、本発明のクリスマスツリー型ダンパ１００の構成図及び絶縁体１１５を構成する絶縁部材１１５ａの拡大図である。また、図２は、本発明のクリスマスツリー型ダンパ１００のクランプ１１２の、図１の矢印Ａ方向からの側面図及び一部断面図である。
本発明のクリスマスツリー型ダンパ１００は、第1ループのダンパ１１０（ａ）と、第２ループのダンパ１１０（ｂ）を有する。第1ループのダンパ１１０（ａ）は、添え線１１１と、クランプ把持部１１３及び圧縮接続部１１４を備えた２つのクランプ１１２とを有する。また、第２ループのダンパ１１０（ｂ）は、添え線１１１と、クランプ把持部１１３及び圧縮接続部１１４を備えた２つのクランプを有する。
そして、第1ループのダンパ１１０（ａ）の各クランプ１１２は、それぞれ圧縮接続部１１４で添え線１１１の端部に圧縮接続し、それぞれクランプ把持部１１３で送電線１２０を把持する。
また、第２ループのダンパ１１０（ｂ）の各クランプ１１２は、それぞれ圧縮接続部１１４で添え線１１１の端部に圧縮接続している。この第２ループのダンパ１１０（ｂ）の一方のクランプ１１２のクランプ把持部１１３は前記第１ループのダンパ１１０（ａ）の添え線１１１を把持しており、他方のクランプ１１２のクランプ把持部１１３で送電線１２０を把持する。
【００１３】
本発明のクリスマスツリー型ダンパ１００では、送電線１２０を把持する各クランプ把持部１１３が、送電線１２０上に設けられた絶縁体１１５を介して送電線１２０を把持する。そのため、図２に示すように、クランプ把持部１１３の把持面１１３（α）が、送電線１２０の外周面に接触しない。このようにして、クランプ１１２と、送電線１２０とが絶縁され、これにより送電線１２０から添え線１１１への電流の流れが遮断される。また、クランプ把持部１１３は、絶縁体１１５を挟み込んで把持するものであり、該絶縁体を把持する把持面１１３（α）の形状は一定で、変化しない。このようなクランプ把持部１１３を用いることにより、圧縮接続の場合に生じていた絶縁体１１５の不測の変形が防止される。
【００１４】
前記絶縁体１１５は送電線１２０の外周面を覆っている。絶縁体１１５は、絶縁部材１１５ａを複数周方向に組み合わせたものである。すなわち、絶縁体１１５は、周方向に複数の絶縁部材１１５ａに分かれている。これにより、クランプ把持部１１３で絶縁体１１５を挟み込んで把持したとき、絶縁体１１５を構成する複数の絶縁部材１１５ａが互いに接近することにより、絶縁体１１５全体が小径化して送電線１２０の外周面を覆う。そのため、絶縁体１１５の不測の変形がさらに防止される。
【００１５】
ここで、本実施例において、絶縁体１１５を構成する絶縁部材１１５ａについて説明する。本実施例で用いられる絶縁部材１１５ａは、アルミ合金のアーマロット（プレホームドアーマロット）の表面全体に硬質アルマイト処理を行うことにより形成される。硬質アルマイト処理で形成する絶縁性の皮膜の厚みは、例えば１００μｍとすることができる。このように、表面が硬質アルマイト処理されたアーマロットである絶縁部材１１５ａを、複数本送電線１２０上に巻きつけることにより、絶縁体１１５をそれぞれ形成する。
【００１６】
図１には、絶縁体１１５を形成する、表面が硬質アルマイト処理されたアーマロット（絶縁部材１１５ａ）のうち一本が拡大して示されている。図示のように、表面が硬質アルマイト処理されたアーマロット（絶縁部材１１５ａ）は螺旋状の形状を有しており、これを複数本送電線１２０に巻きつけて絶縁体１１５を形成する。
【００１７】
このように、本発明のクリスマスツリー型ダンパ１００は、形状が一定で変形しないクランプ把持部１１３の把持面１１３（α）により、絶縁体１１５を介して送電線１２０を把持するため、添え線を絶縁体ごと圧縮接続部で圧縮していた従来の場合と異なり、絶縁体１１５の不測の変形を防止できる。その結果、絶縁体１１５による送電線１２０と添え線１１１との間の絶縁性を安定させることができる。また、前記絶縁性が安定することで、電流の添え線１１１側への分流及びこれに伴う異常発熱を防止することができる。
また、絶縁体１１５が周方向で複数の絶縁部材１１５ａに分かれていることにより、クランプ把持部１１３で絶縁体１１５を把持したとき、絶縁体１１５を構成する複数の絶縁部材１１５ａが互いに接近して、形状の相違を吸収しつつ、小径化して送電線１２０の外周面を覆うため、絶縁体１１５の不測の変形がさらに防止される。
【実施例２】
【００１８】
次に、図３及び図４を参照して、本発明のクリスマスツリー型ダンパ２００を説明する。図３は実施例２のクリスマスツリー型ダンパ２００の構成図であり、図４はこのクリスマスツリー型ダンパ２００のクランプ１１２の、図３の矢印Ｂ方向からの側面図及び一部断面図並びに絶縁部材２１５ａの側面及び正面図である。
なお、実施例２の説明を簡潔にするため、この実施例２のクリスマスツリー型ダンパ２００の構成のうち、実施例１のクリスマスツリー型ダンパ１００の構成と同様の部分には同一の符号を付して、説明を省略する。
【００１９】
このクリスマスツリー型ダンパ２００には、前記実施例１のクリスマスツリー型ダンパ１００と異なり、図４に示すように、絶縁性のカラーからなる絶縁体２１５が用いられている。
この絶縁体２１５は、略筒状のもので、周方向に二分割された絶縁部材２１５ａ（絶縁性のカラー）で構成されている。２枚の絶縁部材２１５ａは、それぞれクランプ１１２の二つの把持面１１３（α）に接着されている。本実施例で絶縁体２１５は周方向に二分割されているが、二つ以上に分かれていても良い。
【００２０】
本実施例の絶縁体２１５は、アルミニューム製で、その表面に硬質アルマイト処理を施したものである。硬質アルマイト処理で形成する絶縁性の酸化膜の厚みは、例えば、１００μｍとすることができる。
【００２１】
このように、本発明のクリスマスツリー型ダンパ２００は、絶縁体２１５を構成する絶縁性のカラーが、予めクランプ把持部１１３に接着されているので、クランプ把持部１１３で送電線を把持した際に、クランプと添え線との間の絶縁性が安定するだけでなく、従来の絶縁体２１５を設けていないクリスマスツリー型ダンパと同様の効率を保ちつつ取り付け作業を行うことができる。
【実施例３】
【００２２】
次に、実施例３のクリスマスツリー型ダンパ３００を説明する。クリスマスツリー型ダンパ３００は、絶縁性のカラーの部分を除き、第２実施例と同様の構成であるため、再び図４を参照して説明する。また、第２実施例と説明が重複する部分は説明を省略する。
【００２３】
本実施例の絶縁体３１５は、セラミック製であり、断面半円形の絶縁部材３１５ａ（絶縁性のカラー）を２枚組み合わせたものである。
この実施例のクリスマスツリー型ダンパ３００も、クランプ把持部３１３に接着した２枚のセラミックス製絶縁部材３１５ａからなる絶縁体３１５を介して送電線１２０を把持するので、送電線１２０と添え線３１１との間が絶縁される。
【符号の説明】
【００２４】
１００  クリスマスツリー型ダンパ
１１０（ａ）  第1のループのダンパ
１１０（ｂ）  第２のループのダンパ
１１１  添え線
１１２  クランプ
１１３  クランプ把持部
１１４  圧縮接続部
１１５、２１５、３１５  絶縁体
【図１】
0005840188.tif 000002
【図２】
0005840188.tif 000003
【図３】
0005840188.tif 000004
【図４】
0005840188.tif 000005
【図５】
0005840188.tif 000006